(57)【要約】運動靴（１０）は、着用者の足首近傍のための調整可能な支持体、当該靴を迅速に装着し且つ脱離するための手段、および着用者の足前部に対する衝撃からの保護を提供する。靴の構造は、弾力的な靴底部分（１４）、足首近傍包囲部分（２０）、足の甲囲繞部分（２４）およびつま先部分（２８）を含んでいる。足首近傍包囲部分（２０）は、靴底部分（１４）の後部端部（２２）で始まり、着用者の足のための開口部を定義すべく前方に向かって延びている。つま先部分（２８）は、靴底部分の前方端部から後方に向かって延びている。足の甲囲繞部分（２４）は、第一の開位置（７４）から、先細にされたピン（９４）またはうねが立てられたタブと、適合するレセプタクルと、を用いて分離可能に固定される、靴底部分（１４）の外側縁部（３０）に、その第二の縁部（７０）が、当接する、第二の閉位置（７８）まで、着用者の足のまわりを回動すべく適合されている。
2005507693.tif 000002
【特許請求の範囲】
【請求項１】
前方端部、後部端部、内側縁部および外側縁部を有する弾力的な靴底部分と、
靴底部分の後部端部から立ち上がり且つ前方端部と後部端部の中間の点まで前方へ延びる足首近傍包囲部分と、
前記足首近傍包囲部分は、それを通して着用者の足が通過させられる開口を定義することと、
つま先部分であって、前記靴底部分の前記前方端部から第一の所定距離だけ延び且つ前記靴底部分の前記内側縁部から前記外側縁部へ延び、そしてその中へ着用者のつま先が挿入される空洞を定義する前記つま先部分と、
足の甲囲繞部分であって、内側面部、外側面部、前端部、後端部、第一の縁部および第二の縁部を有する前記足の甲囲繞部分と、
前記足の甲囲繞部分は、前記つま先部分から前記足首近傍包囲部分へ延びることと、
前記第一の縁部は、前記靴底部分の前記内側縁部に沿ってヒンジ式に固定されていることと、
前記足の甲囲繞部分は、第一の開位置から、着用者の足の導入を許容しつつ、前記足の甲囲繞部分の前記第二の縁部が、前記靴底部分の前記外側縁部に当接する、第二の閉位置まで、回動すべく適合されていることと、
前記足の甲囲繞部分の前記第二の縁部を前記靴底部分の当接する外側縁部に分離可能に固定するための手段であって、
少なくとも１つのピンであって、前記足の甲囲繞部分の前記第二の縁部に取り付けられ、且つそこから下向きに延びる前記ピンと、
前記ピンの各々は、前側部および後側部を有し且つ所定のサイズの切欠部を含み、前記切欠部は、部分的に前記ピンの後側部内へ延びることと、
前記切欠部は、前記ピンの長軸に直交して配置されることと、
前記靴底部分の前記外側縁部に前記足の甲囲繞部分の前記第二の縁部に隣接して添設される保持室と、
前記保持室は、頂面部、底面部、前端部、後端部、内部空洞、前記後端部を貫通し且つ前記内部空洞へ延び、そして前記頂面から前記空洞へ下向きに延びる複数の孔を有し、前記孔の各々は前記ピンの一つを受け入れるべくサイズ設定され且つ配置される開口部を有することと、
固定ストリップであって、前端部、後端部、頂面部、底面部、複数の固定歯部を有し、前記保持室内にスライド移動可能に配置され、且つ前記室の底面部上にスライド移動可能に配置され、そして第一の前方固定位置から第二の後部開口位置へ移動可能である前記固定ストリップと、
前記固定歯部は、前記ピンの前記切欠部に取り外し可能に係合すべく、サイズ設定され、形成され、そして配置されることと、
少なくとも１つのスプリングであって、前記固定ストリップを前記第一の固定位置に向けて前進させるべく、サイズ設定され、形成され且つ前記固定ストリップと前記保持室の間に配置される前記スプリングと、
案内ブロックであって、頂面部および底面部を有し且つ前記靴底部の後部端部近傍に固定的に取り付けられ、そして前記頂面部から前記底面部へ延びる開口部を含む前記案内ブロックと、
解放ケーブルであって、前記固定ストリップの後端部に固定的に取り付けられ且つ前記保持室の前記後端部における前記開口部を通して、そして前記靴底部の外側縁部に沿って後方向きに且つ前記案内ブロックを通して上方向きに延び、そして前記案内ブロックの上方の指ループ内で終端する前記解放ゲーブルと、
それによって、前記解放ケーブルが、前記指ループによって上向きに引っ張られたとき、前記固定ストリップは、前記スプリングを圧縮し、前記固定歯部に、前記ピンの前記切欠部から可逆的に係合を外させて、後方向きに移動し、それによって、着用者の足が脱離されるのを可能とすべく、前記足の甲囲繞部分が上方に向けて回動するのを容認し、そして着用者の足は、当該靴内に配置され且つ足の甲囲繞部分は、前記ピンが前記保持室に入り込み且つ前記解放ケーブルが引っ張られて解放されるように、下方に下げられたときに、前記固定ストリップの前記歯部は、前記足の甲囲繞部分を前記靴底部分の前記外側縁部に固定するために、脱離可能として前記ピンの切欠部に係合されるであろうことと
を備える手段と、
を具備する運動靴。
【請求項２】
前記足の甲囲繞部分は、少なくとも１つの弾力的パッドをさらに備え、前記パッドは、前記足の甲囲繞部分の内側面部に固定され且つ当該足の甲囲繞部分が前記第二の閉位置にあるときに、着用者の足の甲を押圧すべく、サイズ設定され、形成され且つ配設されている請求項１記載の運動靴。
【請求項３】
前記固定ストリップを前記第一の固定位置へ進めるべく付勢するスプリングは、前記固定ストリップと保持室の間に配置される少なくとも一つのコイルばねである請求項１記載の運動靴。
【請求項４】
前記固定ストリップを前記第一の固定位置へ進めるべく付勢するスプリングは、前記固定ストリップと保持室の間に配置される少なくとも一つの板ばねである請求項１記載の運動靴。
【請求項５】
前記ピンの各々は、上側端部および下側端部を有しており、ピンは、前記保持室の前記内部空洞内に延びる深さをコントロールするために、前記上側端部から下側端部へ先細に形成されている請求項１記載の運動靴。
【請求項６】
前記保持室の頂面部から延び且つ前記内部空洞内へ下向きに延びる前記複数の孔は、前記足の甲囲繞部分の前記第二の縁部に取り付けられる前記ピンを脱離可能に受け入れるべく先細に形成されており、それによって前記ピンが前記内部空洞内に延びる深さをさらにコントロールし且つ従って前記固定歯部と前記ピンの位置合わせをコントロールする請求項５記載の運動靴。
【請求項７】
固定歯部の各々は、前記ピンにおける前記切欠部との前記歯部の位置合わせを助けるべく、傾斜された前縁部を有する請求項１記載の運動靴。
【請求項８】
前記ピンにおける前記切欠部の各々は、前記固定歯部の前記傾斜された前縁部を脱離可能に係合すべく、サイズ設定され、形成され且つ配設される請求項７記載の運動靴。
【請求項９】
前方端部、後部端部、内側縁部および外側縁部を有する弾力的な靴底部分と、
靴底部分の後部端部から立ち上がり且つ前方端部と後部端部の中間の点まで前方へ延びる足首近傍包囲部分と、
前記足首近傍包囲部分は、それを通して着用者の足が通過させられる開口を定義することと、
つま先部分であって、前記靴底部分の前記前方端部から第一の所定距離だけ延び且つ前記靴底部分の前記内側縁部から前記外側縁部へ延び、そしてその中へ着用者のつま先が挿入される空洞を定義する前記つま先部分と、
足の甲囲繞部分であって、内側面部、外側面部、前端部、後端部、第一の縁部および第二の縁部を有する前記足の甲囲繞部分と、
前記足の甲囲繞部分は、前記つま先部分から前記足首近傍包囲部分へ延びることと、
前記第一の縁部は、前記靴底部分の前記内側縁部に沿ってヒンジ式に固定されていることと、
前記足の甲囲繞部分は、第一の開位置から、着用者の足の導入を許容しつつ、前記足の甲囲繞部分の前記第二の縁部が、前記靴底部分の前記外側縁部に当接する、第二の閉位置まで、回動すべく適合されていることと、
前記足の甲囲繞部分の前記第二の縁部を前記靴底部分の当接する外側縁部に分離可能に固定するための手段であって、
少なくとも１つの締め付けタブであって、結合部分および取り付け部分を有し、前記結合部分は、上側端部および下側端部を有し、前記取り付け部分は、第一の端部、第二の端部、第一の所定幅、第一の所定厚みおよび前面部を有し、前記前面部は、うね立てされた部分および少なくとも１つの張力作用部分を含む前記締め付けタブと、
前記締め付けタブは、前記結合部分の前記上側端部にて前記足の甲囲繞部分の前記第二の縁部に固定的に取り付けられており、前記取り付け部分は、その第一の端部にて前記結合部分の前記下側端部に固定的に取り付けられることと、
前記うね立てされた部分は、前記前面部から外方に向かって延びる少なくとも１つのうねを含むことと、
前記張力作用部分は、前記取り付け部分の前記第一の端部にて前記うね立てされた部分と同一平面を形成し、前記取り付け部分の前記第二の端部にて前記うね立てされた部分から変位されることと、
少なくとも１つの保持ソケットであって、開口された頂部と、底部と、第一の側部と、第二の側部と、前面部と、内部空洞と、開口部とを有し、前記開口部は、前記前面を前記内部空洞へ貫通する前記保持ソケットと、
前記開口部は、直線で囲まれた上側縁部を有し、前記上側縁部は、前記締め付けタブの前記取り付け部分の前記うね立てされた部分の前記うねを脱離可能に係合すべく、サイズ設定され、形成され且つ配設されることと、
前記保持ソケットは、前記靴底部分の前記外側縁部近傍に固定的に取り付けられ、そして前記締め付けタブの前記取り付け部分が入ることを許容すべく、サイズ設定され、形成され且つ配設されることと、
それによって、前記足の甲囲繞部分が、前記第二の閉位置に向かって移動されたときは、前記締め付けタブの取り付け部分は、前記保持ソケットの開いた頂部に入り且つ前記張力作用部分は、前記締め付けタブが下げられるように前記うね立てされた部分に向けて付勢され、前記うねは、前記開口部の直線で囲まれた上側縁部を通過してスライドし、前記縁部によって保持され、それによって着用者の足の上を覆って前記足の甲囲繞部分を閉じるであろうし、そして前記うね立てされた部分が、靴底部分に向けて内方に押圧され且つ上向きの圧力が着用者の足によって前記足の甲囲繞部分に抗して供給されるときは、前記うねは前記直線で囲まれた縁部を通り、且つ前記保持タブの取り付け部分は、前記足の甲囲繞部分が上方へ旋回することを許容しつつ、上方へスライドし、それによって着用者の足が当該靴から取り出されることを許容するであろうことと
を備える手段と、
を具備する運動靴。
【請求項１０】
前記締め付けタブの前記取り付け部分の前記うね立てされた部分は、前記前面部から外方へ延びる少なくとも２つのうねを含み、それによって着用者の足を覆って前記足の甲囲繞部分を調整可能に固定するための手段を提供する請求項９記載の運動靴。
【請求項１１】
前記靴底部分の前記当接する外側縁部へ、前記足の甲囲繞部分の前記第二の縁部を取り外し可能に固定するための手段は、カバーをさらに具備し、前記カバーは、前記開口部の直線で囲まれた縁部を汚物および異物から保護するとともに、前記保持ソケットの前面部を囲むべく、サイズ設定され、形成され且つ配設され、前記カバーは、前記保持ソケットからの前記締め付けタブの解放を作用させるべく前記締め付けタブの前記取り付け部分の前記うね立てされた部分に圧力が印加されるのを許容する開口を含む請求項９記載の運動靴。
【請求項１２】
前方端部、後部端部、内側縁部および外側縁部を有する弾力的な靴底部分と、
靴底部分の後部端部から立ち上がり且つ前方端部と後部端部の中間の点まで前方へ延びる足首近傍包囲部分と、
前記足首近傍包囲部分は、それを通して着用者の足が通過させられる開口を定義することと、
つま先部分であって、前記靴底部分の前記前方端部から第一の所定距離だけ延び且つ前記靴底部分の前記内側縁部から前記外側縁部へ延び、そしてその中へ着用者のつま先が挿入される空洞を定義する前記つま先部分と、
足の甲囲繞部分であって、内側面部、外側面部、前端部、後端部、第一の縁部および第二の縁部を有する前記足の甲囲繞部分と、
前記足の甲囲繞部分は、前記つま先部分から前記足首近傍包囲部分へ延びることと、
前記第一の縁部は、前記靴底部分の前記内側縁部に沿ってヒンジ式に且つ分離可能に固定されていることと、
前記足の甲囲繞部分は、第一の開位置から、着用者の足の導入を許容しつつ、前記足の甲囲繞部分の前記第二の縁部が、前記靴底部分の前記外側縁部に当接する、第二の閉位置まで、回動すべく適合されていることと、
前記足の甲囲繞部分の前記第二の縁部を前記靴底部分の当接する外側縁部に分離可能に固定するための手段と、
それによって、前記足の甲囲繞部分が、第一の開位置に配置され、且つ前記第一の縁部が前記靴底部分の前記内側縁部から分離されるときに、前記足の甲囲繞部分が当該靴から脱離されることと
を具備する運動靴。
【発明の詳細な説明】
【技術分野】
【０００１】
本発明は、靴および足覆いの分野に関し、より詳細には、ユニークな挿入および囲み閉じシステムを提供する運動靴に関する。
【背景技術】
【０００２】
スポーツ活動はより能力指向になってきているので、スポーツ用具に課される要求もより高性能のものになりつつある。そのような場合に使用される運動靴に対する技術的な要求は、そのような活動の振興と共に決まったやり方にて進化する傾向がある。この目的に向けて、運動靴のために種々のデザインが、そしてより詳細には、靴の囲み閉じシステムのためのデザインが、開発されてきている。
【０００３】
１９９６年９月２４日にプレングラー（Ｐｒｅｎｇｌｅｒ）に対して発行された米国特許第５，５５７，８６６号は、ヒンジ式の後入口および関連する締め付けシステムを有する運動用履き物を説明している。１９８６年１０月１４日にバンチ（Ｂｕｎｃｈ）他に対して発行された米国特許第４，６１６，４３２号は、中央位置よりもむしろ靴の側面に沿って配設されたひも閉じ部を有する運動靴を示している。１９８９年３月１４日にシウダード（Ｃｉｕｄａｄ）に対して発行された米国特許第４，８１１，４９７号は、弾性的材料と一緒に結合された靴の爪革に一連の柔軟なストリップを組み込んでひも無し入口システムを提供するスポーツ靴を説明している。１９９３年１月１２日にバーガー（Ｂｅｒｇｅｒ）に対して発行された米国特許第５，１７７，８８２号は、一連のケーブルにて靴の甲革に引き寄せられる堅い足の甲カバーを固定するのに使用される中央締め付け部を有する靴を説明している。
【０００４】
これら種々の囲み閉じ機構に加えて、多数の特許が靴の甲革を靴底に取り付けるための方法に向けられている。１９４８年７月６日にエプスタイン（Ｅｐｓｔｅｉｎ）に対して発行された米国特許第２，４４４，６４０号は、甲革の異なるいくつかのつま先囲繞部分を靴底に取り付けるためのジッパータイプの囲み閉じ部を説明している。同様のシステムが、１９４０年５月７日にファイン（Ｆｅｉｎ）に対して発行された米国特許第２，２００，０８０号において、靴の全体の甲革を靴底に取り付けるために使用されている。１９６５年９月７日にロッカード（Ｌｏｃｋａｒｄ）他に対して発行された米国特許第３，２０４，３４６号は、甲革を靴底部分に取り付けるための溝と符合するスライド移動用の突起とのシステムを説明している。
【特許文献１】
米国特許第５，５５７，８６６号
【特許文献２】
米国特許第４，６１６，４３２号
【特許文献３】
米国特許第４，８１１，４９７号
【特許文献４】
米国特許第５，１７７，８８２号
【特許文献５】
米国特許第２，４４４，６４０号
【特許文献６】
米国特許第２，２００，０８０号
【特許文献７】
米国特許第３，２０４，３４６号
【発明の開示】
【発明が解決しようとする課題】
【０００５】
本発明の目的は、着用者の足首近傍に対して容易に調整し得る支持体を提案する運動靴を提供することにある。本発明のさらなる目的は、着用者が迅速に靴を装着し且つ脱離するための手段を提供することにある。本発明のなおさらなる目的は、靴の上側面部に対する衝撃から着用者のつま先および足前部に対する保護を提供することにある。本発明のまたさらなる目的は、ユニークで且つ魅力的な外観を有する運動靴を提供することにある。検討された先行技術の靴は種々の有用な特徴を提供するけれども、本発明の要求に対する解答は何ら得られなかった。
【課題を解決するための手段】
【０００６】
本発明の運動靴は、上述された全ての目的に、上述された全ての目的に、一括して、対処する多数の新規な特徴を組み込んでいる。運動靴は、弾力的な靴底、足首近傍包囲部分、足の甲囲繞部分およびつま先部分の４つの基本構成要素から構成されていて良い。
【０００７】
弾力的な靴底部分は、前方端部、後部端部、内側縁部および外側縁部を有している。足首近傍包囲部分は、靴底部分の後部端部において始まり且つ前方端部と後部端部の間の点に向かって前方へ延びる。足首近傍包囲部分は、それを通して着用者の足が通過させられる開口を定義する。
【０００８】
つま先部分は、靴底部分の前方端部から第一の所定距離だけ延び且つ靴底部分の内側縁部から外側縁部へ延びる。つま先部分は、その中へ着用者のつま先が挿入される空洞を定義する。
【０００９】
足の甲囲繞部分は、内側面部、外側面部、前端部、後端部、第一の縁部および第二の縁部を有する。足の甲囲繞部分は、つま先部分から足首近傍包囲部分へ延びる。その第一の縁部は、靴底部分の内側縁部に沿ってヒンジ式に固定されている。
【００１０】
足の甲囲繞部分は、第一の開位置から、着用者の足の導入を許容しつつ、足の甲囲繞部分の第二の縁部が、靴底部分の外側縁部に当接する、第二の閉位置まで、回動すべく適合されている。本発明は、また、足の甲囲繞部分の第二の縁部を靴底部分の当接する外側縁部に分離可能に固定するための手段をも含んでいる。
【００１１】
足の甲囲繞部分の第二の縁部を靴底部分の当接する外側縁部に分離可能に固定するための手段は、少なくとも１つのピンを含んでいる。これらのピンは、足の甲囲繞部分の第二の縁部に取り付けられ、且つそこから下向きに延びる。これらのピンの各々は、前側部および後側部を有し且つ所定のサイズの切欠部を含んでいる。切欠部は、部分的にピンの後側部内へ延びる。切欠部は、ピンの長軸に直交して配置される。
【００１２】
保持室は、靴底部分の外側縁部に足の甲囲繞部分の第二の縁部に隣接して添設される。保持室は、頂面部、底面部、前端部、後端部、内部空洞を有する。後端部は、それを貫通し且つ内部空洞へ延びる開口部を有する。保持室は、頂面部から内部空洞へ下向きに延びる複数の孔をも有する。これらの孔の各々は、ピンの一つを受け入れるべくサイズ設定され且つ配置される。
【００１３】
前端部、後端部、頂面部、底面部、一連の固定歯部を有する固定ストリップが設けられる。該固定ストリップは、保持室内にスライド移動可能に配置され、且つ保持室の底面部上にスライド移動可能に配置される。固定ストリップは、第一の前方固定位置から第二の後部開口位置へ移動可能である。固定歯部は、先に述べたピンの切欠部に取り外し可能に係合すべく、サイズ設定され、形成され、そして配置されている。
【００１４】
固定手段は、また、固定ストリップを第一の固定位置に向けて前進させるべく、サイズ設定され、形成され且つ固定ストリップと保持室の間に配置されるスプリングを含んでいる。案内ブロックが設けられている。案内ブロックは、頂面部および底面部を有し且つ靴底部の後部端部近傍に固定的に取り付けられている。案内ブロックは、頂面部から底面部へ延びる開口部を含む。解放ケーブルは、固定ストリップの後端部に固定的に取り付けられ且つ保持室の後端部における開口部を通して、そして靴底部の外側縁部に沿って後方向きに且つ案内ブロックの上方の指ループ内で終端すべく案内ブロックを通して上方向きに延びる。
【００１５】
解放ケーブルが、指ループを介して上向きに引っ張られたとき、固定ストリップは、スプリングを圧縮し、固定歯部に、ピンの切欠部から可逆的に係合を外させて、後方向きに移動し、着用者の足が脱離されるのを可能とすべく、足の甲囲繞部分が上方に向けて回動するのを容認するであろう。着用者の足が、当該靴内に配置され且つ足の甲囲繞部分は、ピンが保持室に入り込み且つ解放ケーブルが引っ張られて解放されるように、下方に下げられたときに、固定ストリップの歯部は、足の甲囲繞部分を靴底部分の外側縁部に固定するために、脱離可能としてピンの切欠部に係合されるであろう。
【００１６】
本発明の変形において、足の甲囲繞部分は、少なくとも１つの弾力的パッドを含んでいる。パッドは、足の甲囲繞部分の内側面部に固定され且つ当該足の甲囲繞部分が第二の閉位置にあるときに、着用者の足の甲を押圧すべく、サイズ設定され、形成され且つ配設されている。
【００１７】
本発明のさらなる変形において、固定ストリップを第一の固定位置へ進めるべく付勢するスプリングは、固定ストリップと保持室の間に配置される少なくとも一つのコイルばねである。
【００１８】
本発明のまたその他の変形において、固定ストリップを第一の固定位置へ進めるべく付勢するスプリングは、固定ストリップと保持室の間に配置される少なくとも一つの板ばねである。
【００１９】
本発明のまたさらなる変形において、ピンの各々は、上側端部および下側端部を有している。ピンは、該ピンが保持室の内部空洞内に延びるであろう深さをコントロールするために、上側端部から下側端部へ先細に形成している。
【００２０】
さらなる変形において、保持室の頂面部から内部空洞内へ下向きに延びる一連の孔は、足の甲囲繞部分の第二の縁部に取り付けられるピンを脱離可能に受け入れるべく先細に形成されている。この先細形状は、ピンが内部空洞内に延びるであろう深さをさらにコントロールし且つ従って固定歯部とピンの位置合わせをコントロールする。
【００２１】
本発明のさらに他の変形において、固定歯部の各々は、ピンにおける切欠部との歯部の位置合わせを助けるべく、傾斜された前縁部を有している。
【００２２】
本発明のまた他の変形において、ピンにおける切欠部の各々は、固定歯部の傾斜された前縁部を脱離可能に係合すべく、サイズ設定され、形成され且つ配設される。
【００２３】
本運動靴発明の他の変形においては、運動靴は、弾力的な靴底、足首近傍包囲部分、足の甲囲繞部分およびつま先部分の４つの基本構成要素から構成されていて良い。
【００２４】
弾力的な靴底部分は、前方端部、後部端部、内側縁部および外側縁部を有する。足首近傍包囲部分は、靴底部分の後部端部で始まり且つ前方端部と後部端部の間の点に向かって前方へ延びる。足首近傍包囲部分は、それを通して着用者の足が通過させられる開口を定義する。
【００２５】
つま先部分は、靴底部分の前方端部から第一の所定距離だけ延び且つ靴底部分の内側縁部から外側縁部へ延びる。つま先部分は、その中へ着用者のつま先が挿入される空洞を定義する。
【００２６】
足の甲囲繞部分は、内側面部、外側面部、前端部、後端部、第一の縁部および第二の縁部を有する。足の甲囲繞部分は、つま先部分から足首近傍包囲部分へ延びる。その第一の縁部は、靴底部分の内側縁部に沿ってヒンジ式に固定されている。足の甲囲繞部分は、第一の開位置から、着用者の足の導入を許容しつつ、足の甲囲繞部分の前記第二の縁部が、靴底部分の外側縁部に当接する、第二の閉位置まで、回動すべく適合されている。
【００２７】
本発明は、足の甲囲繞部分の第二の縁部を靴底部分の当接する外側縁部に分離可能に固定するための手段を含んでいる。足の甲囲繞部分の第二の縁部を靴底部分の当接する外側縁部に分離可能に固定するための手段は、少なくとも１つの締め付けタブをさらに含んでいる。締め付けタブは、結合部分および取り付け部分を有する。結合部分は、上側端部および下側端部を有している。取り付け部分は、第一の端部、第二の端部、第一の所定幅、第一の所定厚みおよび前面部を有している。前面部は、うね立てされた部分および少なくとも１つの張力作用部分を含んでいる。締め付けタブは、結合部分の上側端部にて足の甲囲繞部分の第二の縁部に固定的に取り付けられている。取り付け部分は、その第一の端部にて結合部分の下側端部に固定的に取り付けられている。うね立てされた部分は、前面部から外方に向かって延びる少なくとも１つのうねを含んでいる。張力作用部分は、取り付け部分の第一の端部にてうね立てされた部分と同一平面を形成し、取り付け部分の第二の端部にてうね立てされた部分から変位される。
【００２８】
少なくとも１つの保持ソケットが設けられる。保持ソケットは、開口された頂部と、底部と、第一の側部と、第二の側部と、前面部と、内部空洞と、開口部とを有する。開口部は、前面部を内部空洞へ通過させる。開口部は、直線で囲まれた上側縁部を有する。上側縁部は、締め付けタブの取り付け部分のうね立てされた部分のうねを脱離可能に係合すべく、サイズ設定され、形成され且つ配設される。保持ソケットは、靴底部分の外側縁部近傍に固定的に取り付けられる。それは、締め付けタブの取り付け部分が入ることを許容すべく、サイズ設定され、形成され且つ配設される。
【００２９】
足の甲囲繞部分が、第二の閉位置に向かって移動されたときは、締め付けタブの取り付け部分は、保持ソケットの開いた頂部に入り且つ張力作用部分は、締め付けタブが下げられるようにうね立てされた部分に向けて付勢される。うねは、開口部の直線で囲まれた上側縁部を通過してスライドし、縁部によって保持され、それによって着用者の足の上を覆って足の甲囲繞部分を閉じるであろう。うね立てされた部分が、靴底部分に向けて内方に押圧され且つ上向きの圧力が着用者の足によって足の甲囲繞部分に抗して供給されるときは、うねは直線で囲まれた縁部を通り、且つ保持タブの取り付け部分は、足の甲囲繞部分が上方へ旋回することを許容しつつ、上方へスライドし、着用者の足が当該靴から取り出されることを許容するであろう。
【００３０】
さらなる変形において、締め付けタブの取り付け部分のうね立てされた部分は、前面部から外方へ延びる少なくとも２つのうねを含んでいる。これは、着用者の足を覆って足の甲囲繞部分を調整可能に固定するための手段を提供する。
【００３１】
他の変形において、靴底部分の当接する外側縁部へ、足の甲囲繞部分の第二の縁部を取り外し可能に固定するための手段は、カバーをさらに含んでいる。カバーは、開口部の直線で囲まれた縁部を汚物および異物から保護するとともに、保持ソケットの前面部を囲むべく、サイズ設定され、形成され且つ配設される。カバーは、保持ソケットからの締め付けタブの解放を作用させるべく、締め付けタブの取り付け部分のうね立てされた部分に圧力が印加されるのを許容する開口を含んでいる。
【００３２】
さらに他の変形において、運動靴は、前方端部、後部端部、内側縁部および外側縁部を有する弾力的な靴底部分を含んでいる。足首近傍包囲部分は、靴底部分の後部端部から立ち上がり且つ前方端部と後部端部の中間の点まで前方へ延びる。足首近傍包囲部分は、それを通して着用者の足が通過させられる開口を定義する。
【００３３】
つま先部分が設けられている。つま先部分は、その中へ着用者のつま先が挿入される空洞を定義しつつ、靴底部分の前方端部から第一の所定距離だけ靴底部分の内側縁部から外側縁部へ延びる。
【００３４】
足の甲囲繞部分が設けられる。足の甲囲繞部分は、内側面部、外側面部、前端部、後端部、第一の縁部および第二の縁部を有する。足の甲囲繞部分は、つま先部分から足首近傍包囲部分へ延びる。第一の縁部は、靴底部分の内側縁部に沿ってヒンジ式に且つ分離可能に固定されている。足の甲囲繞部分は、第一の開位置から、着用者の足の導入を許容しつつ、足の甲囲繞部分の第二の縁部が、靴底部分の外側縁部に当接する、第二の閉位置まで、回動すべく適合されている。
【００３５】
足の甲囲繞部分の第一の縁部を靴底部分の当接する外側縁部に分離可能に固定するための手段が設けられる。足の甲囲繞部分が、第一の開位置に配置され、且つ第一の縁部が靴底部分の内側縁部から分離されるときに、足の甲囲繞部分が当該靴から脱離される。
【発明を実施するための最良の形態】
【００３６】
図１〜図１５に図解されているように、本発明の運動靴１０は、上述された全ての目的に、一括して、対処する多数の新規な特徴を組み込んでいる。運動靴１０は、図１に示された通り、弾力的な靴底１４、足首近傍包囲部分２０、足の甲囲繞部分２４、およびつま先部分２８の４つの基本構成要素から構成されていて良い。
【００３７】
弾力的な靴底部分１４は、前方端部１８、後部端部２２、内側縁部２６および外側縁部３０を有している。足首近傍包囲部分２０は、靴底部分１４の後部端部２２において始まり且つ前方端部１８と後部端部２２の間の点に向かって前方へ延びる。足首近傍包囲部分２０は、それを通して着用者の足（図示されていない）が通過させられる開口を定義する。
【００３８】
つま先部分２８は、靴底部分１４の前方端部１８から第一の所定距離３８だけ延び且つ靴底部分１４の内側縁部２６から外側縁部３０へ延びる。つま先部分２８は、その中へ着用者のつま先（図示されていない）が挿入される空洞４２を定義する。
【００３９】
足の甲囲繞部分２４は、内側面部５０、外側面部５４、前端部５８、後端部６２、第一の縁部６６および第二の縁部７０を有する。足の甲囲繞部分２４は、つま先部分２８から足首近傍包囲部分２０へ延びる。その第一の縁部６６は、靴底部分１４の内側縁部２６に沿ってヒンジ式に固定されている。足の甲囲繞部分２４は、第一の開位置７４から、着用者の足の導入を許容しつつ、足の甲囲繞部分２４の第二の縁部７０が、靴底部分１４の外側縁部３０に当接する、第二の閉位置７８まで、回動すべく適合されている。
【００４０】
本発明は、また、足の甲囲繞部分２４の第二の縁部７０を靴底部分１４の当接する外側縁部３０に分離可能に固定するための手段８２をも含んでいる。足の甲囲繞部分２４の第二の縁部７０を靴底部分１４の当接する外側縁部３０に分離可能に固定するための手段は、少なくとも１つのピン９４をさらに含んでいる。これらのピン９４は、足の甲囲繞部分２４の第二の縁部７０に取り付けられ、且つそこから下向きに延びる。これらのピン９４の各々は、前側部９８および後側部１０２を有し且つ所定のサイズの切欠部１０６を含んでいる。切欠部１０６は、部分的にピン９４の後側部内へ延びる。切欠部１０６は、ピン９４の長軸に直交して配置される。
【００４１】
図１〜図３に図解されるように、保持室１１４は、靴底部分１４の内側縁部に足の甲囲繞部分２４の第二の縁部７０に隣接して添設される。保持室１１４は、頂面部１１８、底面部１２２、前端部１２６、後端部１３０、内部空洞１３４を有する。後端部１３０は、それを貫通し且つ内部空洞１３４へ延びる開口部１３６を有する。保持室１１４は、頂面部１１８から内部空洞１３４へ下向きに延びる一連の孔１３８をも有する。これらの孔１３８の各々は、ピン９４の一つを受け入れるべくサイズ設定され且つ配置される。
【００４２】
前端部１４６、後端部１５０、頂面部１５４、底面部１５８、一連の固定歯部を有する固定ストリップ１４２が設けられる１６２。該固定ストリップ１４２は、保持室１１４内にスライド移動可能に配置され、且つ保持室１１４の底面部１２２上にスライド移動可能に配置される。固定ストリップ１４２は、第一の前方固定位置１６６から第二の後部開口位置１７０へ移動可能である。固定歯部１６２は、先に述べたピン９４の切欠部１０６に取り外し可能に係合すべく、サイズ設定され、形成され、そして配置されている。
【００４３】
固定手段８２は、また、固定ストリップ１４２を第一の固定位置１６６に向けて前進させるべく、サイズ設定され、形成され且つ固定ストリップ１４２と保持室１１４の間に配置されるスプリング１７４をも含んでいる。案内ブロック１７８が設けられている。案内ブロック１７８は、頂面部１８２および底面部１８６を有し且つ靴底部１４の後部端部２２近傍に固定的に取り付けられている。案内ブロック１７８は、頂面部１８２から底面部１８６へ延びる開口部１９０を含んでいる。解放ケーブル１９４は、固定ストリップ１４２の後端部１５０に固定的に取り付けられ且つ保持室１１４の後端部１３０における開口部１３６を通して、そして靴底部１４の外側縁部３０に沿って後方向きに且つ案内ブロック１７８の上方の指ループ１９８内で終端すべく案内ブロックを通して上方向きに延びる。
【００４４】
解放ケーブル１９４が、指ループ１９８を介して上向きに引っ張られたとき、固定ストリップ１４２は、スプリング１７４を圧縮し、固定歯部１６２に、ピン９４の切欠部１０６から可逆的に係合を外させて、後方向きに移動し、着用者の足３４が脱離されるのを可能とすべく、足の甲囲繞部分２４が上方に向けて回動するのを容認するであろう。着用者の足３４が、当該靴１０内に配置され且つ足の甲囲繞部分２４は、ピン９４が保持室１１４に入り込み且つ解放ケーブル１９４が引っ張られて解放されるように、下方に下げられたときに、固定ストリップ１４２の歯部１６２は、足の甲囲繞部分２４を靴底部分１４の外側縁部３０に固定するために、脱離可能としてピン９４の切欠部１０６に係合されるであろう。
【００４５】
やはり図１に図解されている、本発明の変形において、足の甲囲繞部分２４は、少なくとも１つの弾力的パッド８６を含んでいる。パッド８６は、足の甲囲繞部分２４の内側面部５０に固定され且つ当該足の甲囲繞部分２４が第二の閉位置７８にあるときに、着用者の足の甲（図示されていない）を押圧すべく、サイズ設定され、形成され且つ配設されている。
【００４６】
本発明のさらなる変形において、図４〜図８に図解されているように、固定ストリップ１４２を第一の固定位置１６６へ進めるべく付勢するスプリング１７４は、固定ストリップ１４２と保持室１１４の間に配置される少なくとも一つのコイルばね２０２である。
【００４７】
本発明のまたその他の変形において、固定ストリップ１４２を第一の固定位置へ進めるべく付勢するスプリング１７４は、固定ストリップ１４２と保持室１１４の間に配置される少なくとも一つの板ばね２０６である。
【００４８】
本発明のまたさらなる変形において、ピン９４の各々は、上側端部２１０および下側端部２１４を有している。ピン９４は、該ピン９４が保持室１１４の内部空洞１３４内に延びるであろう深さをコントロールするために、上側端部２１０から下側端部２１４へ先細に形成している。
【００４９】
さらなる変形において、保持室１１４の頂面部１１８から内部空洞１３４内へ下向きに延びる一連の孔１３８は、足の甲囲繞部分２４の第二の縁部７０に取り付けられるピン９４を脱離可能に受け入れるべく先細に形成されている。この先細形状は、ピン９４が内部空洞１３４内に延びるであろう深さをさらにコントロールし且つ従って固定歯部１６２とピン９４の位置合わせをコントロールする。
【００５０】
本発明のさらに他の変形において、固定歯部１６２の各々は、ピン９４における切欠部１０６との歯部１６２の位置合わせを助けるべく、傾斜された前縁部２１８を有している。
【００５１】
本発明のまた他の変形において、ピン９４における切欠部１０６の各々は、固定歯部１６２の傾斜された前縁部２１８を脱離可能に係合すべく、サイズ設定され、形成され且つ配設される。
【００５２】
図９〜図１４に図解される、本運動靴発明の他の変形においては、足の甲囲繞部分２４の第二の縁部７０を靴底部分１４の当接する外側縁部３０に分離可能に固定するための手段８２は、少なくとも１つの締め付けタブ２２６をさらに含んでいる。締め付けタブ２２６は、結合部分２３０および取り付け部分２３４を有する。結合部分２３０は、上側端部２３８および下側端部２４２を有している。取り付け部分２３４は、第一の端部２４６、第二の端部２５０、第一の所定幅２５４、第一の所定厚み２５８および前面部２６２を有している。前面部２６２は、うね立てされた部分２６６および少なくとも１つの張力作用部分２７０を含んでいる。締め付けタブ２２６は、結合部分２３０の上側端部２３８にて足の甲囲繞部分２４の第二の縁部７０に固定的に取り付けられている。取り付け部分２３４は、その第一の端部２４６にて結合部分２３０の下側端部２４２に固定的に取り付けられている。うね立てされた部分２６６は、前面部２６２から外方に向かって延びる少なくとも１つのうね２７４を含んでいる。図１２に図解されているように、張力作用部分２７０は、取り付け部分２３４の第一の端部２４６にてうね立てされた部分２６６と同一平面を形成し、且つ取り付け部分２３４の第二の端部２５０にてうね立てされた部分２６６から変位される。
【００５３】
図９および図１０に図解されているように、少なくとも１つの保持ソケット２７８が設けられる。保持ソケット２７８は、開口された頂部２８２と、底部２８６と、第一の側部２９０と、第二の側部２９４と、前面部２９８と、内部空洞３０２と、開口部３０６とを有する。開口部３０６は、前面部２９８を内部空洞３０２へ通過させる。開口部３０６は、直線で囲まれた上側縁部３１０を有する。上側縁部３１０は、締め付けタブ２２６の取り付け部分２３４のうね立てされた部分２６６のうね２７４を脱離可能に係合すべく、サイズ設定され、形成され且つ配設される。保持ソケット２７８は、靴底部分１４の外側縁部３０近傍に固定的に取り付けられる。それは、締め付けタブ２２６の取り付け部分２３４が入ることを許容すべく、サイズ設定され、形成され且つ配設される。
【００５４】
足の甲囲繞部分が２４、第二の閉位置７８に向かって移動されたときは、締め付けタブ２２６の取り付け部分２３４は、保持ソケット２７８の開いた頂部２８２に入り且つ張力作用部分２７０は、締め付けタブ２２６が下げられるように、うね立てされた部分２６６に向けて付勢される。うね２７４は、開口部３０６の直線で囲まれた上側縁部３１０を通過してスライドし、縁部３１０によって保持され、それによって着用者の足の上を覆って足の甲囲繞部分２４を閉じるであろう。うね立てされた部分２６６が、靴底部分１４に向けて内方に押圧され且つ上向きの圧力が着用者の足３４によって足の甲囲繞部分２４に抗して供給されるときは、うね２７４は直線で囲まれた縁部３１０を通り、且つ保持タブ２２６の取り付け部分２３４は、足の甲囲繞部分２４が上方へ旋回することを許容しつつ、上方へスライドし、着用者の足３４が当該靴１０から取り出されることを許容するであろう。
【００５５】
さらなる変形において、締め付けタブ２２６の取り付け部分２３４のうね立てされた部分２６６は、前面部２６２から外方へ延びる少なくとも２つのうね２７４を含んでいる。これは、着用者の足３４を覆って足の甲囲繞部分２４を調整可能に固定するための手段を提供する。
【００５６】
他の変形において、図１４に示されるように、靴底部分１４の当接する内側縁部２６へ、足の甲囲繞部分２４の第二の縁部７０を取り外し可能に固定するための手段８２は、カバー３１８をさらに含んでいる。カバー３１８は、開口部３０６の直線で囲まれた縁部３１０を汚物および異物から保護するとともに、保持ソケット２７８の前面部２９８を囲むべく、サイズ設定され、形成され且つ配設される。カバー３１８は、保持ソケット２７８からの締め付けタブ２２６の解放を作用させるべく、締め付けタブ２２６の取り付け部分２３４のうね立てされた部分２６６に圧力が印加されるのを許容する開口３２２を含んでいる。
【００５７】
さらに他の変形において、図１５に図解されているように、運動靴２２６は、前方端部３３４、後部端部３３８、内側縁部３４２および外側縁部３４６を有する弾力的な靴底部分３３０を含んでいる。足首近傍包囲部分３５０は、靴底部分３３０の後部端部３３８から立ち上がり且つ前方端部３３４と後部端部３３８の中間の点３６２まで前方へ延びる。足首近傍包囲部分３５０は、それを通して着用者の足（図示されていない）が通過させられる開口３５２を定義する。
【００５８】
つま先部分３７０が設けられている。つま先部分３７０は、その中へ着用者のつま先（図示されていない）が挿入される空洞３７４を定義しつつ、靴底部分３３０の前方端部３３４から第一の所定距離３５８だけ靴底部分３３０の内側縁部３４２から外側縁部３４６へ延びる。
【００５９】
足の甲囲繞部分３８２が設けられる。足の甲囲繞部分３８２は、内側面部３８６、外側面部３９０、前端部３９４、後端部３９８、第一の縁部４０２および第二の縁部４０６を有する。足の甲囲繞部分は、つま先部分３７０から足首近傍包囲部分３５０へ延びる３８２。第一の縁部４０２は、靴底部分３３０の内側縁部３４６に沿ってヒンジ式に且つ分離可能に固定されている。足の甲囲繞部分３８２は、第一の開位置４１０から、着用者の足３６６の導入を許容しつつ、足の甲囲繞部分３８２の第二の縁部４０６が、靴底部分３３０の外側縁部３４２に当接する、第二の閉位置４１４まで、回動すべく適合されている。
【００６０】
足の甲囲繞部分３８２の第二の縁部４０６を靴底部分３３０の当接する外側縁部３４６に分離可能に固定するための手段が設けられる。足の甲囲繞部分３８２が、第一の開位置４１０に配置され、且つ第一の縁部４０２が靴底部分３３０の内側縁部３４６から分離されるときに、足の甲囲繞部分３８２が当該靴２２６から脱離される。
【図面の簡単な説明】
【００６１】
【図１】図１は、本発明の運動靴の斜視図である。
【図２】図２は、固定ストリップの固定歯部によるピンの係合を図解する図１の実施の形態の部分切欠側面図である。
【図３】図３は、固定ストリップの固定歯部からのピンの係合解除を図解する図１の実施の形態の部分切欠側面図である。
【図４】図４は、固定ストリップの固定歯部によるピンの係合を図解する第二の実施の形態の部分切欠側面図である。
【図５】図５は、固定ストリップの固定歯部からのピンの係合解除を図解する第二の実施の形態の部分切欠側面図である。
【図６】図４の実施の形態のピン、固定歯部および固定ストリップのクローズアップ斜視図である。
【図６Ａ】図６Ａは、ピンの代替的実施の形態の詳細の側面図である。
【図７】図７は、図４の実施の形態の固定ストリップの固定歯部によるピンの係合を図解する側面切欠図である。
【図８】図８は、図４の実施の形態の固定ストリップの固定歯部からのピンの係合解除を図解する側面切欠図である。
【図９】図９は、締め付けタブおよび保持ソケットを採用する代替的な囲み閉じ手段を図解する本発明の第三の実施の形態の斜視図である。
【図１０】図１０は、締め付けタブおよび保持ソケットの断面詳細図である。
【図１１】図１１は、締め付けタブのうね立てされた部分および張力作用部分を図解する保持タブの正面詳細図である。
【図１２】図１２は、締め付けタブの側面詳細図である。
【図１３】図１３は、一対の締め付けタブの斜視詳細図である。
【図１４】図１４は、保持ソケットおよびカバーの正面詳細図である。
【図１５】図１５は、脱離可能な足の甲囲繞部分を含む本発明の第四の実施の形態の斜視図である。
【国際公開パンフレット】
2005507693.tif 000003
2005507693.tif 000004
2005507693.tif 000005
2005507693.tif 000006
2005507693.tif 000007
2005507693.tif 000008
2005507693.tif 000009
2005507693.tif 000010
2005507693.tif 000011
2005507693.tif 000012
2005507693.tif 000013
2005507693.tif 000014
2005507693.tif 000015
2005507693.tif 000016
2005507693.tif 000017
2005507693.tif 000018
2005507693.tif 000019
2005507693.tif 000020
2005507693.tif 000021
2005507693.tif 000022
2005507693.tif 000023
2005507693.tif 000024
2005507693.tif 000025
2005507693.tif 000026
2005507693.tif 000027
2005507693.tif 000028
2005507693.tif 000029
2005507693.tif 000030
2005507693.tif 000031
2005507693.tif 000032
2005507693.tif 000033
2005507693.tif 000034
2005507693.tif 000035
2005507693.tif 000036
2005507693.tif 000037
2005507693.tif 000038
【国際公開パンフレット（コレクトバージョン）】
2005507693.tif 000039
2005507693.tif 000040
2005507693.tif 000041
2005507693.tif 000042
2005507693.tif 000043
2005507693.tif 000044
2005507693.tif 000045
2005507693.tif 000046
2005507693.tif 000047
2005507693.tif 000048
2005507693.tif 000049
2005507693.tif 000050
2005507693.tif 000051
2005507693.tif 000052
2005507693.tif 000053
2005507693.tif 000054
2005507693.tif 000055
2005507693.tif 000056
2005507693.tif 000057
2005507693.tif 000058
2005507693.tif 000059
2005507693.tif 000060
2005507693.tif 000061
2005507693.tif 000062
2005507693.tif 000063
2005507693.tif 000064
2005507693.tif 000065
2005507693.tif 000066
2005507693.tif 000067
2005507693.tif 000068
2005507693.tif 000069
2005507693.tif 000070
2005507693.tif 000071
2005507693.tif 000072
2005507693.tif 000073
2005507693.tif 000074
【国際調査報告】
2005507693.tif 000075